(57)【要約】【課題】トラッキングに対する安全性を確保できるＡＣアダプタを提供する。【解決手段】ＡＣアダプタ１はスイッチング式のＡＣアダプタであり、正確には交流電圧から直流電圧を生成するＡＣＤＣアダプタである。図１に示すスイッチング式のＡＣアダプタ１は、入力電源端子２ａ、２ｂと、入力電源端子２ａ、２ｂと電気的に接続する交流直流変換回路７と、交流直流変換回路７が形成されたプリント基板３０と、入力電源端子２ａと交流直流変換回路７との間に直列に挿入された電流ヒューズ５および温度ヒューズ６を備えている。ＡＣアダプタ１は、入力電源端子２ａ、２ｂの間のトラッキングを防止する部材を備えており、この部材はプリント基板３０とは別のセラミック基板１０１である。【選択図】図１
2015149814.tif 000002
【特許請求の範囲】
【請求項１】
第１、２入力電源端子と、
前記第１、２入力電源端子と電気的に接続する交流直流変換回路と、
前記交流直流変換回路が形成されたプリント基板と、
前記第１、２入力電源端子の少なくとも一方と前記交流直流変換回路との間に直列に挿入されたヒューズと、
を備え、
前記第１、２入力電源端子の間のトラッキングの進行を抑制する部材または空隙を設けたＡＣアダプタ。
【請求項２】
前記部材は、前記プリント基板とは別の基板であり、
前記第１、２入力電源端子の少なくとも一方を前記別の基板に設ける請求項１に記載のＡＣアダプタ。
【請求項３】
前記別の基板は、無機絶縁材料基板である請求項２に記載のＡＣアダプタ。
【請求項４】
前記第１、２入力電源端子のうち片方の入力電源端子のみを前記別の基板に設ける請求項２または３に記載のＡＣアダプタ。
【請求項５】
前記別の基板と前記プリント基板とをまたぐように、前記ヒューズが前記片方の入力電源端子と前記交流直流変換回路とを接続する請求項４に記載のＡＣアダプタ。
【請求項６】
前記空隙は、前記別の基板と前記プリント基板の間の隙間である請求項２〜５のいずれか１項に記載のＡＣアダプタ。
【請求項７】
前記第１、２入力電源端子が前記プリント基板の端部に設けられ、
前記空隙は、前記第１、２入力電源端子の間を伸びるように前記プリント基板の端部に設けられた切込み部を含む請求項１〜６のいずれか１項に記載のＡＣアダプタ。
【請求項８】
前記交流直流変換回路は、前記第１入力電源端子と接続する第１配線および前記第２入力電源端子と接続する第２配線を含み、
前記ヒューズは前記第１配線に設けられ、
前記切込み部は、前記ヒューズと前記第２配線の間まで伸びる請求項７に記載のＡＣアダプタ。
【請求項９】
第１、２入力電源端子と、
前記第１、２入力電源端子と電気的に接続する交流直流変換回路と、
前記交流直流変換回路が形成されたプリント基板と、
前記第１、２入力電源端子の少なくとも一方が形成され前記プリント基板とは別の基板と、
を備えるＡＣアダプタ。
【請求項１０】
前記別の基板は、無機絶縁材料基板である請求項９に記載のＡＣアダプタ。
【請求項１１】
前記別の基板と前記プリント基板との間に隙間を設けた請求項９または１０に記載のＡＣアダプタ。
【請求項１２】
前記第１、２入力電源端子のうち片方の入力電源端子のみを前記別の基板に設けた請求項１１に記載のＡＣアダプタ。
【発明の詳細な説明】
【技術分野】
【０００１】
本発明は、ＡＣアダプタに関する。
【背景技術】
【０００２】
従来、例えば、特開２０１０−２７９２２２号公報に開示されているように、入力電源端子側に保護手段としての温度ヒューズおよび電流ヒューズを設けたＡＣアダプタが知られている。
【先行技術文献】
【特許文献】
【０００３】
【特許文献１】特開２０１０−２７９２２２号公報
【発明の概要】
【発明が解決しようとする課題】
【０００４】
電源プラグの分野ではトラッキングによる故障が従来から問題視されており、安全性の確保のためにはトラッキングを防止することが重要である。上記従来技術にかかるＡＣアダプタは保護手段としてのヒューズを備えるので、仮にトラッキングが生じたときにも、それに起因してヒューズ下流の電気回路で生ずる過電流時あるいは発熱異常時にこのヒューズが作動しうる。しかしながら、トラッキングは基板の表面を進行するカーボナイズにより基板の絶縁性が損なわれることによって引き起こされる。例えばヒューズよりも上流側の配線間、電極間でカーボナイズが進行した場合には、過電流あるいは発熱異常の検知ができないあるいは検知精度が低下するおそれがある。このような問題に鑑みて鋭意研究を行った結果、本願発明者はトラッキングに対する安全性を向上させた新規なＡＣアダプタを見出した。
【０００５】
本発明は、上述のような課題を解決するためになされたもので、トラッキングに対する安全性が高められたＡＣアダプタを提供することを目的とする。
【課題を解決するための手段】
【０００６】
第１の発明にかかるＡＣアダプタは、第１、２入力電源端子と、前記第１、２入力電源端子と電気的に接続する交流直流変換回路と、前記交流直流変換回路が形成されたプリント基板と、前記第１、２入力電源端子の少なくとも一方と前記交流直流変換回路との間に直列に挿入されたヒューズと、を備え、前記第１、２入力電源端子の間のトラッキングの進行を抑制する部材または空隙を設ける。
【０００７】
第２の発明にかかるＡＣアダプタは、第１、２入力電源端子と、前記第１、２入力電源端子と電気的に接続する交流直流変換回路と、前記交流直流変換回路が形成されたプリント基板と、第１、２入力電源端子の少なくとも一方が形成され前記プリント基板とは別の基板と、を備える。
【発明の効果】
【０００８】
第１の発明によれば、ヒューズよりも上流側（つまり交流電源に近い側）においてもトラッキングを防止できるようにしたので、安全性が向上する。
【０００９】
第２の発明によれば、プリント基板と別の基板とで交流直流変換回路と入力電源端子とを分けたので、プリント基板側の回路素子の安全性が向上する。
【図面の簡単な説明】
【００１０】
【図１】本発明の実施の形態にかかるＡＣアダプタを示す図である。
【図２】本発明の実施の形態にかかるＡＣアダプタを示す図である。
【図３】本発明の実施の形態にかかるＡＣアダプタを示す図である。
【発明を実施するための形態】
【００１１】
図１は本発明の実施の形態にかかるＡＣアダプタ１を示す回路図である。ＡＣアダプタ１はスイッチング式のＡＣアダプタであり、正確には交流電圧から直流電圧を生成するＡＣＤＣアダプタである。図１に示すスイッチング式のＡＣアダプタ１は、入力電源端子２ａ、２ｂと、入力電源端子２ａ、２ｂと電気的に接続する交流直流変換回路７と、交流直流変換回路７が形成されたプリント基板３０と、を備えている。
【００１２】
交流直流変換回路７は、トランス３と、整流回路としてのダイオードブリッジ１１および平滑コンデンサ１２からなりトランス３の入力側に接続された一次側整流平滑回路１０と、ダイオード２１および出力平滑コンデンサ２２からなりトランス３の出力側に接続された二次側整流平滑回路２０とを備えている。制御回路４で制御されるスイッチング素子４１（典型的にはＭＯＳＦＥＴなどのトランジスタ）のＯＮ／ＯＦＦ操作によってトランス３へ入力される交流電力を高周波交流に変換した上で降圧する。その後、二次側整流平滑回路２０で安定した直流電力に変換している。入力電源端子２ａと交流直流変換回路７との間には、電流ヒューズ５および温度ヒューズ６の直列回路が挿入されている。なお、入力電源端子２ｂと交流直流変換回路７との間にも、電流ヒューズ５および温度ヒューズ６の直列回路を挿入してもよい。なお、電流ヒューズ５および温度ヒューズ６のいずれか一方を省略しても良い。
【００１３】
ＡＣアダプタ１は、入力電源端子２ａ、２ｂの間のトラッキングを防止する部材を備えており、この部材はプリント基板３０とは別のセラミック基板１０１である。セラミック基板１０１とプリント基板３０との間の電気的接続は、ジャンパー線により配線したり、両端子がこれらの基板をまたぐようにリード部品を取り付けるようにして実現することができる。本実施の形態では、図１に示すように、セラミック基板１０１とプリント基板３０とをまたぐように温度ヒューズ６を取り付けている。トラッキングを引き起こすカーボナイズは有機材料すなわち炭素を含む合成樹脂で形成されたプリント基板３０の表面において発生する現象なので、セラミック基板１０１はカーボナイズを引き起こさずトラッキング耐性が高い。ＡＣアダプタ１ではセラミック基板１０１に入力電源端子２ａ、２ｂを設けることで、電流ヒューズ５および温度ヒューズ６よりも交流電源に近い側のトラッキングを防止できるようにしたので、安全性を確保することができる。なおセラミック基板１０１以外にも無機絶縁材料で形成した基板を用いてもよい。トラッキングを引き起こすカーボナイズの問題を避けることができるからである。
【００１４】
なお、図１に示すようにセラミック基板１０１とプリント基板３０との間には隙間を設けることでトラッキングをさらに抑制することが好ましい。しかしながら、本発明はこれに限られず、セラミック基板１０１とプリント基板３０とを接触させてもよい。
【００１５】
図２は、本発明の実施の形態にかかるＡＣアダプタ１の変形例を示す図である。この変形例では、プリント基板３０とは別に小型基板１０２を設けている。小型基板１０２は、プリント基板３０と同じく合成樹脂からなり、プリント基板３０と同じ材料であってもよく異なる材料であっても良い。入力電源端子２ａ、２ｂのうち入力電源端子２ａのみを小型基板１０２に設けている。図２に示すように、小型基板１０２とプリント基板３０の間には隙間が設けられている。この隙間があることで、仮に小型基板１０２でカーボナイズが進行しても入力電源端子２ａ、２ｂの間が繋がらない。なお、小型基板１０２の代わりに、セラミック基板１０１と同様にセラミックなどの無機絶縁材料で形成した基板を用いても良い。
【００１６】
図３は、本発明の実施の形態にかかるＡＣアダプタ１の変形例を示す図である。プリント基板３０の端部に、入力電源端子２ａ、２ｂの間を伸びる切込み部１０３を設けている。この切込み部１０３で入力電源端子２ａ、２ｂの間の絶縁沿面距離を拡大し、カーボナイズの進行を遮断してトラッキングを抑制できる。交流直流変換回路７は、入力電源端子２ａと交流直流変換回路７との間を結ぶ配線（以下「第１配線」とも称す）と、入力電源端子２ｂと交流直流変換回路７との間を結ぶ配線（以下「第２配線」とも称す）とを含んでおり、電流ヒューズ５および温度ヒューズ６はこの第１配線に設けられている。切込み部１０３は温度ヒューズ６とこの第２配線の間まで伸びており、入力電源端子２ａと温度ヒューズ６との間からこの第２配線までの間の絶縁沿面距離を確保できる。
【００１７】
なお、ＡＣアダプタ１において電流ヒューズ５および温度ヒューズ６を入力電源端子２ａ、２ｂ側端部から省略してもよい。また、交流直流変換回路７を非スイッチング式の交流直流変換回路に置換してもよい。
【符号の説明】
【００１８】
１  ＡＣアダプタ、２ａ、２ｂ  入力電源端子、３  トランス、４  制御回路、５  電流ヒューズ、６  温度ヒューズ、７  交流直流変換回路、１０  一次側整流平滑回路、１１  ダイオードブリッジ、１２  平滑コンデンサ、２０  二次側整流平滑回路、２１  ダイオード、２２  出力平滑コンデンサ、３０  プリント基板、４１  スイッチング素子、１０１  セラミック基板、１０２  小型基板、１０３  切込み部
【図１】
2015149814.tif 000003
【図２】
2015149814.tif 000004
【図３】
2015149814.tif 000005